(57)【要約】【課題】  ユーザが簡単な操作で所望のセグメントをスキップ設定して、スキップ再生することができる再生装置および再生方法を提供する。【解決手段】  ユーザがいずれかの領域を指定して再生を指示するための再生指示手段と、再生指示手段により再生指示のあった領域の区画に対応する情報を記録媒体から読取るための情報取得手段と、情報取得手段により読取られた情報を展開して再生可能な形式の情報として記憶する音声情報記憶手段と、音声情報記憶手段に記憶された情報を再生するための再生処理手段と、再生処理手段により再生された音声情報に基づいて、ユーザがその区画を次回再生しないように、再生中に設定することができるスキップ設定手段と、を備え、再生時に、スキップ設定手段により設定された区画は再生しないことを特徴とする再生装置を提供する。【選択図】  図７
2006267187.tif 000002
【特許請求の範囲】
【請求項１】
ヘッダ情報と、複数の領域に分類された区画を複数有する音声情報とを有する記録媒体を再生する再生装置において、
ユーザがいずれかの領域を指定して再生を指示するための再生指示手段と、
前記再生指示手段により再生指示のあった領域の区画に対応する情報を前記記録媒体から読取るための情報取得手段と、
前記情報取得手段により読取られた情報を展開して再生可能な形式の情報として記憶する音声情報記憶手段と、
前記音声情報記憶手段に記憶された情報を再生するための再生処理手段と、
前記再生処理手段により再生された音声情報に基づいて、ユーザがその区画を次回再生しないように、再生中に設定することができるスキップ設定手段と、を備え、
再生時に、前記スキップ設定手段により設定された区画は再生しないことを特徴とする再生装置。
【請求項２】
前記スキップ設定手段による設定を解除するための設定解除手段を備えることを特徴とする請求項１に記載の再生装置。
【請求項３】
前記スキップ設定手段は、設定された区画と同分類の区画を全てスキップ設定することを特徴とする請求項１または２に記載の再生装置。
【請求項４】
前記スキップ設定手段は、ヘッダ情報に含まれる、設定される区画に対応する位置情報を、再生装置内に備えられたスキップ情報記憶手段に記憶することを特徴とする請求項１から３のいずれかに記載の再生装置。
【請求項５】
前記スキップ設定手段により設定された区画の位置情報を表示部に表示することを特徴とする請求項１から４のいずれかに記載の再生装置。
【請求項６】
前記スキップ設定手段は、区画を再生中に行われるユーザの所定の操作であることを特徴とする請求項１から５のいずれかに記載の再生装置。
【請求項７】
前記情報取得手段は、再生装置に着脱可能な記録媒体からの情報を読取ることを特徴とする請求項１から６のいずれかに記載の再生装置。
【請求項８】
前記情報取得手段は、再生装置内に備えられた記録媒体からの情報を読取ることを特徴とする請求項１から６のいずれかに記載の再生装置。
【請求項９】
前記記録媒体は、不揮発性のメモリであることを特徴とする請求項８に記載の再生装置。
【請求項１０】
ヘッダ情報と、複数の領域に分類された区画を有する音声情報とを有する記録媒体を再生する再生方法であって、
ユーザが再生指示手段を用いて、いずれかの領域を指定して再生を指示し、
前記再生指示手段により再生指示のあった領域の区画に対応する情報を前記記録媒体から読取り、
その読取られた情報を展開して再生可能な形式の情報として音声情報記憶手段に記憶し、
前記音声情報記憶手段に記憶された情報を再生処理手段により再生し、
前記再生処理手段により再生された音声情報に基づいて、ユーザがその区画を次回再生しないように、再生中にスキップ設定を行い、
再生時に、前記スキップ設定された区画を再生しないことを特徴とする再生方法。
【発明の詳細な説明】
【技術分野】
【０００１】
この発明は、音声情報が記録された記録媒体に記録された音声情報を再生する再生装置及び再生方法に関する。
【背景技術】
【０００２】
近年、英会話を始めとする語学などを学習するために、学習用の音声情報が記録されたＣＤやカセットテープ、その他の記録媒体等が広く普及している。ユーザは、学習用の音声情報が記録されたこれらの教材と、同梱されている学習用テキストとを併用して、学習を行っている。
【０００３】
しかし、現代の日本人は、読解力に比べてリスニング能力が極端に低く、したがって教材を再生中に聞き取りにくいところがあるとついテキストに頼りがちになってしまう傾向がある。なるべくテキストに記載されている外国語の文字を見ることなく学習することが好ましい。また、日本語の解説を読むためにその都度テキストを見る作業は煩雑であり、学習時間のロスとなる。したがって、教材を学習するにあたって、テキストを用いなくとも同様な学習を行うことができればより効率的かつ効果的な学習が可能となる。従来のCDやカセットテープを用いた語学学習法では、テキストを用いないで同様な学習をすることは困難であった。
【０００４】
そこで、従来から、例えば図１に示すようなMP３形式のファイルを再生することができる再生装置１がある。MP３形式のファイルはヘッダファイルと音声ファイルとを有する。この再生装置１では、記録媒体に記録されているMP３形式のファイルを、ヘッダファイルを利用してセグメントをトラック毎に分類した音声ファイル形式（３トラック方式）として再生することができる。このファイル形式を用いたコンテンツでは、例えば、セグメントごとに少なくとも一つの単語を含んでおり、トラックAにはネイティブスピードの音声情報（例えばセグメント１の「Hello」）、トラックBにはスロースピードの音声情報（例えばセグメント１の「HELLO」）、トラックCには日本語訳の音声情報（例えばセグメント１の「こんにちは」）を含んでおり、再生装置１のボタン操作により、同セグメントをトラック間で自由に切り替えて再生することができる。この再生装置１では、Aボタン６、Bボタン７、Cボタン８がそれぞれトラックA、トラックB、トラックCに対応しており、A,B,Cボタンのいずれかを押すことにより瞬時にトラックを切り替えて再生することができる。したがって、例えば、トラックAのあるセグメントを再生して、ユーザがネイティブスピードでは早すぎて聞き取りにくいと感じた場合には、テキストを見なくとも、再生中もしくは再生後にBボタン７を押すことによりそのセグメントのトラックBに切り替わり、同様の内容をスロースピードで聴くことができるため、聞き取れる可能性が高まる。また、同様にCボタン８を押すことにより同セグメントの日本語訳に切り替わる。また、トラックCには日本語訳だけではなく、日本語による解説の音声情報が含まれていてもよい。したがって、この従来の再生装置１を用いて３トラック方式の語学学習用コンテンツを再生することにより、テキストが無くても効果的かつ効率的に語学学習をすることができる。
【０００５】
例えば、英単語を暗記するような３トラック方式のコンテンツを上記再生装置１で再生する場合、ユーザは暗記するまでに何度も繰り返してそのコンテンツを聞くこととなる。しかし、再生装置１は通常、コンテンツをセグメント順に再生する。したがって、そのような場合、未だ暗記していないセグメントを聞くだけでなく、既に暗記してしまったセグメントも繰り返し聞かなければならず、非効率的な学習方法となってしまう。再生中に既に暗記したセグメントは早送りして次のセグメントへと進むことも可能であるが、既に暗記したセグメントの数が多ければ多いほど煩雑な操作が必要となってしまう。従来から、CD等の再生装置に使用されているプログラム演奏機能、すなわち、ユーザがトラック（３トラック形式でいえばセグメント）を指定して再生することができる機能が知られている。そこで、このプログラム演奏機能を採用すれば未だ暗記していないセグメントのみの再生が可能であると考えられる。しかし、そのようなプログラム演奏機能を再生装置１に採用したとしても、暗記したセグメントが生じる度に、ユーザが未だ暗記していないセグメントを選択して、再生の度にプログラム演奏設定を行わなければならず、非常に煩雑な作業が必要となってしまう。ユーザが既に暗記したセグメントを簡単に設定することができ、自動的にそのセグメントをスキップして再生できるような再生装置が望まれる。また、既暗記のセグメントをスキップ再生する場合は、３トラック方式により関連付けられた３つのセグメントを同時にスキップすることが好ましい。
【０００６】
一方、下記特許文献１では、再生制限が付与されたプログラム（音声・映像情報）と自由に再生できるプログラム（音声・映像情報）とが混在する記録媒体を再生するのに適用可能な再生装置および再生方法が記載されている。この再生装置も、ヘッダファイルを利用した記録媒体の音声ファイルを再生することができる装置である。この再生装置では、管理領域（ヘッダファイル）に各プログラムが再生制限付きプログラムであるか自由再生プログラムであるかを判別するための識別子が記録された記録媒体に対して、再生時にその識別子を自動的に判別することができる。したがって、ユーザが再生の度にプログラム演奏設定のような煩雑な設定を行わなくとも、再生制限付きプログラム（すなわち、ユーザが再生を禁止したいプログラム。）を自動的にスキップして再生を行うことが可能である。そこで、特許文献１の再生装置のスキップ再生方法を再生装置１に採用すれば、暗記コンテンツの既暗記のセグメントに対し、既暗記であるという識別子をヘッダファイルに記憶すれば、装置が自動的にスキップ再生を行うことが可能であると考えられる。
【０００７】
【特許文献１】特開２００２−１７５０９０
【発明の開示】
【発明が解決しようとする課題】
【０００８】
しかし、特許文献１の再生装置は、記録媒体中の管理領域に記録されている識別子を判別して、再生禁止に設定されている音声情報に対し、自動的にスキップ再生することが可能であるが、基本的にユーザはその識別子を自由に変更することができない。ただし、再生制限が時限制限でなされている場合には、ユーザが識別子（日時情報）を設定しないことにより再生禁止（スキップ）を選択することは可能であるが、煩雑な操作が必要である。したがって、再生装置１において、ユーザがスキップしたいセグメントを簡単な操作でスキップ設定することができる装置及び再生方法がないという問題があった。
【０００９】
そこで本発明は上記の事情に鑑み、ヘッダファイルを利用してセグメントをトラック毎に分類したファイル形式を記録した記録媒体を再生するための再生装置において、ユーザが簡単な操作で所望のセグメントをスキップ設定して、スキップ再生することができる再生装置および再生方法を提供することを目的とする。
【課題を解決するための手段】
【００１０】
上記の課題を解決するため、本発明に係る再生装置は、ヘッダ情報と、複数の領域（トラック）に分類された区画（セグメント）を複数有する音声情報とを有する記録媒体を再生する再生装置において、ユーザがいずれかの領域を指定して再生を指示するための再生指示手段と、前記再生指示手段により再生指示のあった領域の区画に対応する情報を前記記録媒体から読取るための情報取得手段と、前記情報取得手段により読取られた情報を展開して再生可能な形式の情報として記憶する音声情報記憶手段と、前記音声情報記憶手段に記憶された情報を再生するための再生処理手段と、前記再生処理手段により再生された音声情報に基づいて、ユーザがその区画を次回再生しないように、再生中に設定することができるスキップ設定手段と、を備え、再生時に、前記スキップ設定手段により設定された区画は再生しないことを特徴とする。
【００１１】
上記の構成により、ユーザはセグメントの音声情報を聞きながらスキップ設定をすることができるため、次回再生時に、暗記したセグメントを簡単にスキップさせることができる。
【００１２】
また、前記スキップ設定手段による設定を解除するための設定解除手段を備えることを特徴とする。
【００１３】
また、前記スキップ設定手段は、設定された区画と同分類の区画を全てスキップ設定することを特徴とする。
【００１４】
また、前記スキップ設定手段は、ヘッダ情報に含まれる、設定される区画に対応する位置情報を、再生装置内に備えられたスキップ情報記憶手段に記憶することを特徴とする。
【００１５】
また、前記スキップ設定手段により設定された区画の位置情報を表示部に表示することを特徴とする。また、前記スキップ設定手段は、区画を再生中に行われるユーザの所定の操作であることを特徴とする。
【００１６】
また、前記情報取得手段は、再生装置に着脱可能な記録媒体からの情報を読取ることを特徴とする。
【００１７】
また、前記情報取得手段は、再生装置内に備えられた記録媒体からの情報を読取ることを特徴とする。また、前記記録媒体は、不揮発性のメモリであることを特徴とする
【００１８】
さらに、本発明に係る再生方法は、ヘッダ情報と、複数の領域に分類された区画を有する音声情報とを有する記録媒体を再生する再生方法であって、ユーザが再生指示手段を用いて、いずれかの領域を指定して再生を指示し、前記再生指示手段により再生指示のあった領域の区画に対応する情報を前記記録媒体から読取り、その読取られた情報を展開して再生可能な形式の情報として音声情報記憶手段に記憶し、前記音声情報記憶手段に記憶された情報を再生処理手段により再生し、前記再生処理手段により再生された音声情報に基づいて、ユーザがその区画を次回再生しないように、再生中にスキップ設定を行い、再生時に、前記スキップ設定された区画を再生しないことを特徴とする。
【発明の効果】
【００１９】
したがって本発明は、ヘッダファイルを利用してセグメントをトラック毎に分類したファイル形式を記録した記録媒体を再生するための再生装置において、ユーザが簡単な操作で所望のセグメントをスキップ設定して、スキップ再生することができる再生装置および再生方法を提供することができる。
【発明を実施するための最良の形態】
【００２０】
図１は、従来例の再生装置１と説明したが、この外観図は本発明の実施形態の再生装置においても同様であるので、本発明の実施形態による再生装置１として、以降、同じ図を用いて説明する。再生装置１は、表示部２、ヘッドホン端子３、及び各種操作ボタンを有する。操作ボタンは、電源ボタン４、モードボタン５、Aボタン６、Bボタン７、Cボタン８、録音ボタン９、FF（早送り）ボタン１０、REW（巻戻し）ボタン１１、メニューボタン１３を含む。表示部２は、LCD（液晶ディスプレイ）であり、種々の情報を表示するために用いられる。Aボタン６、Bボタン７、Cボタン８、及びモードボタン５は環状部材１２の各部分であり、Aボタン６とモードボタン５、Bボタン７とCボタン８がそれぞれ対向した十字方向にそれぞれ配置されている。また、電源ボタン４は、環状部材１２の中心分に配置されており、環状部材１２とは独立した部材として形成されている。
【００２１】
モードボタン５は、本実施形態における再生装置が備える様々な機能を選択するために用いられる。すなわち、MP３モードはMP３形式の音声情報を再生するモードであり、Ｌmモードは上述した図２の３トラック形式の音声ファイル（以降、Lmファイルという）を再生するモードであり、その他例えばFMラジオや録音等のモードがある。モードボタン５を押すたびにそれらのモードが所定の順番で切り替わる。
【００２２】
Lmモードにおいて、A、B、Cボタン６，７，８は、再生中あるいは停止中にトラックを指定・再生するために用いられる。例えば、Aボタン６はトラックA、Bボタン７はトラックB、Cボタン８はトラックCというように割り当てられている。トラック選択の操作を行う際、各ボタンが再生装置１の上面に配置されており、全て環状部材１２に配置されているため、ボタンを見なくても直感的に指一本で簡単に押下することができる。従って、ユーザは後述するスキップ設定を行う際にも容易に操作することができる。
【００２３】
図３に本発明の第一の実施形態における再生装置１の機能ブロック図を示す。再生装置１は、CPU３０、ROM３１、RAM３２、EEPROM（またはフラッシュメモリ等の不揮発メモリ）３３、挿入部３５、情報読取部３６、音声信号処理回路３７、ヘッドホン端子部３８、表示部４１、操作部４２を有する。そのうち、ROM３１、RAM３２、EEPROM３３、情報読取部３６、音声信号処理回路３７、表示部４１、操作部４２はそれぞれ、バス４３によりCPU３０と信号及びデータを送受可能となっており、CPU３０により制御されている。また、挿入部３５には、記録媒体３４が接続される。なお、図３に記載した各機能は、Lm形式ファイルを含むMP３形式ファイルを再生するための機能示す。したがって、FMラジオのチューナや、録音時の機能等の説明は省略されている。
【００２４】
ROM３１は、書き込み不可のマスクROM又は電気的に書き換え可能なフラッシュROMであり、種々の情報が記録されている。このROM３１には、例えば、記録媒体３４に記憶されている音声ファイルをRAM３２へ展開する際に必要なプログラム等が記憶されている。
【００２５】
RAM３２は、一時的に情報を記録するメモリである。このRAM３２は、再生可能な形式に展開されたセグメントの音声情報を記憶する。この展開された音声情報は、その後音声信号処理回路３７へと伝送される。
【００２６】
EEPROM３３は、書き換え可能な不揮発メモリであり、装置の電源をOFFにしても記録された情報を保持しておくことができる。EEPROM３３は、スキップするセグメントのアドレス情報を記憶する領域を有する。このアドレス情報をもとに、後述する暗記モードでは、スキップ再生を行うことができる。また、アドレス情報は、記憶媒体３４に記憶されているコンテンツ（Lmファイル）ごとに管理されている。
【００２７】
情報読取部３６は、挿入部３５にセットされた記録媒体３４に記録された情報を読取るための手段である。記録媒体３４が不揮発性メモリである場合、再生時には、そのメモリに記憶された情報が、ROM３１に記録されたプログラムに基づいて、RAM３２に音声展開される。また、記録媒体３４は、CD-ROMや磁気記録媒体でもよく、その場合、情報読取部３６は、それらの記録面に記録された情報を検出するピックアップ装置である。
【００２８】
音声信号処理回路３７は、RAM３２に音声展開されたデジタル音声信号を受取ってから所定の処理を施してアナログ信号とし、また、ヘッドホン端子部３８はヘッドホン等の外部装置にそのアナログ信号を出力する機能を有する。
【００２９】
表示部４１は、再生装置１のLCD２に情報を表示させるための機能を有する。例えば、ヘッダファイルに含まれているそのLmファイルのファイル名や総セグメント数、再生セグメント番号等を表示することができる。また、スキップ設定されたセグメント番号を表示させることもできる。操作部４２は、ユーザが操作する各種ボタン下のスイッチから信号をCPU３０に送る。
【００３０】
図４に本発明の第二の実施形態における再生装置１の機能ブロック図を示す。再生装置１は、CPU３０、ROM３１、RAM３２、音声信号処理回路３７、ヘッドホン端子部３８、表示部４１、操作部４２、I／F部４４、EEPROM（またはフラッシュメモリ等の不揮発メモリ）３３を有する。そのうち、ROM３１、RAM３２、音声信号処理回路３７、表示部４１、操作部４２、I／F部４４、EEPROM３３はそれぞれ、バス４３によりCPU３０と信号およびデータを送受可能となっており、CPU３０により制御されている。また、I／F部４４はPC等のインターネットに接続された端末に接続するためのインタフェースである。なお、図３同様、図４はLm形式ファイルを含むMP３形式ファイルを再生するための機能示す。したがって、FMラジオのチューナや、録音時の機能の説明は省略されている。
【００３１】
ROM３１は、書き込み不可のマスクROM又は電気的に書き換え可能なフラッシュROMであり、種々の情報が記録されている。このROM３１には、例えば、EEPROM３３に記憶されている音声データをRAM３２へ展開する際に必要なプログラム等が記録されている。
【００３２】
RAM３２、音声信号処理回路３７、ヘッドホン端子部３８、表示部４１、操作部４２の機能は図３の実施形態と同様であるため説明は省略する。
【００３３】
EEPROM３３は、書き換え可能な不揮発メモリであり、装置の電源をOFFにしても記録された情報を保持しておくことができる。EEPROM３３には、Lmファイルを記憶する領域と、スキップするセグメントのアドレス情報を記憶する領域とを有する。このアドレス情報をもとに、暗記モードでは、スキップ再生を行うことができる。また、アドレス情報は、記憶媒体３４に記憶されているコンテンツ（Lmファイル）ごとに管理されている。
【００３４】
I／F部４４は、PCと再生装置１とを接続可能にするためのインタフェースである。本実施形態においては、Lmファイルは、EEPROM３３に書き換え可能に記憶される。例えば、LmファイルをインターネットからPCへダウンロードし、そのLmファイルをPCから再生装置１へと送る。PCから送られてくるLmファイルのデータは、I／F部４４を介してEEPROM３３に記憶される。
【００３５】
図５に記憶媒体３４又はEEPROM３３に記憶されているLmファイルのデータ構造を模式的に示す。Lmファイルはヘッダファイルと音声ファイルとからなる。音声ファイルは、各ブロックが連続して配列した音声データである。セグメントはその含まれる音声情報に応じてそれぞれ異なるデータ量を持っており、セグメントがｎ等分（どのセグメントにおいても分割数は同じとする）された個々の単位がブロックであって、各ブロックは元のセグメントの１／ｎのデータ量を持つ。したがって、同セグメント内のブロックはデータ量が等しい。また、各セグメントのデータ量と分割数ｎから、各ブロックのデータ量が求められる。各ブロックはそれぞれ、セグメント番号、トラック番号（例えばＡ，Ｂ，Ｃ）、ブロック番号（１からｎ）が割り当てられており、図のように、ヘッダファイルの直後がＳＧ（セグメント）１：ＴＲ（トラック）−Ａ：ＢＬ（ブロック）１、続いてＳＧ１：ＴＲ−Ｂ：ＢＬ１、ＳＧ１：ＴＲ−Ｃ：ＢＬ１と続き、その後次のブロック番号へと進み、ＳＧ１：ＴＲ−Ａ：ＢＬ２となる。そして、ＳＧ１：ＴＲ−Ｃ：ＢＬｎの次は、次のセグメント番号へと進み、ＳＧ２：ＴＲ−Ａ：ＢＬ１となる。各ブロックのスタートビットが、アドレス情報としてヘッダファイルで管理されている。各セグメントがRAM３２へ展開される際には、ヘッダファイルに記憶されている各ブロックに対するアドレス情報に基づいて、指定されたブロックが呼び出されて結合される。ヘッダファイルには、Lmファイルのファイル名、トラック数、セグメント数（ｍ）、各セグメントのデータ量、セグメントの分割数（ｎ）等が少なくとも記憶されている。
【００３６】
本発明の実施形態におけるLmファイルの再生手順を、図６から図８のフローチャートを用いて説明する。ステップS１では、モードボタン５を押すことにより、MP３モード、Lmモード、FMラジオ等のモード選択を行う。モードボタン５を押すたびにそれらのモードを所定の順番で設定することができる。Lmモードを選択するとステップS２に進み、Lmモードに設定される。ステップS３では、コンテンツを選択する場合はステップＳ４に進み、Lmモードを終了したい場合または所定時間操作が行われないときはステップＳ９に進む。ステップＳ４では、ユーザが記録媒体３４やEEPROM３３から再生したいコンテンツ（Lmファイル）を選択する操作を行う。コンテンツが選択されると、ステップS５へ進む。ステップＳ５では、ユーザが再生モードを選択する。すなわち、Ｌｍファイルを通常再生モードで再生するか、本発明の実施形態における暗記モードで再生するかを操作によりユーザが選択する。暗記モードを選択したい場合はステップＳ６に進み、暗記モードに設定され、その後ステップＳ７に進む。
【００３７】
ステップＳ７では、再生トラック選択を行うが、ここでは、セグメントごとにＡトラック→Ｂトラック→Ｃトラックという順に再生するか（トラック順再生）、メイントラックを指定してそのトラックのセグメントを連続して再生するか（メイントラック再生）を選択することができる。また、FFボタン１０やREWボタン１１を使って、再生を開始したいセグメントを指定することもできる。トラック順再生を選択すると、指定されたセグメント（指定がなければセグメント１、以下、再生指定セグメントという）のＡ→Ｂ→Ｃトラック、その次のセグメントのＡ→Ｂ→Ｃトラックという順に再生される。すなわち、ユーザはネイティブ発音の単語→スロースピード発音の単語→日本語訳という順に聞くことができる。メイントラック再生を選択すると、例えば、Ａトラックを指定した場合は、Ａトラックの再生指定セグメント→Ａトラックのその次のセグメントという順に再生される。再生中にＢボタンやＣボタンを押すことにより、その再生中のセグメントのＢトラックやＣトラックに切り替えて再生することができる（後に詳述する）。ステップＳ７において、暗記モードの再生トラック選択を行ったら、ステップＳ８へと進む。
【００３８】
ステップＳ８では、後に詳述するように、トラック順再生の場合は図７に示す再生方法で、メイントラック再生の場合は図８に示す再生方法でそれぞれ再生される。それぞれ再生が終了したら、ステップＳ９に進む。Lmモードを終了したい場合は（ステップＳ９：YES）、ステップＳ１０へと進む。Lmモードを終了せずにコンテンツの再生を行いたい場合には（ステップＳ９：NO）、ステップＳ３へと戻る。ステップＳ１０では、電源ボタン４を押すことにより、または所定時間操作を行わないことにより、装置の電源をＯＦＦとすることができ（ステップＳ１０：YES）、所定の操作によりステップＳ１に戻ることができる。
【００３９】
図７は、図６のステップＳ７において、トラック順の再生方法を選択した場合の、ステップＳ８における処理を示す。ステップＳ２０では、再生指定セグメントが既にスキップ設定されていれば（ステップＳ２０：YES）、ステップＳ３６へと進む。スキップ設定されていなければ（ステップＳ２０：NO）、ステップＳ２１へと進む。この構成により、再生装置が自動的にユーザが暗記したセグメントをスキップして再生することができる。ステップＳ２１では、再生指定セグメントのＡトラックから再生が行われる。セグメント再生中に、Ａボタン６もしくはREWボタン１１等によりＡトラックの再再生（リピート再生）が要求されれば（ステップＳ２２：YES）、ステップＳ２１へと戻りそのセグメントが最初から再生される。再再生の要求がなければ（ステップＳ２２：NO）、ステップＳ２３へ進む。ステップＳ２３において、Ａトラックの再生中に、ユーザがそのセグメントを次回再生時にスキップしたいと思ったときは（ステップＳ２３：YES）、ステップＳ２４へ進みスキップ設定を行う。そのセグメントを次回再生時にスキップしないときは（ステップＳ２３：NO）、ステップＳ２５へ進む。ステップＳ２４では、セグメントを再生中に、録音ボタン９（もしくは、モードボタン５でもよい）を押すことにより、そのセグメントが次回再生スキップされるセグメントとして設定される。設定後、ステップＳ２５へと進み、再生指定セグメントのＡトラックの再生が終了する。
【００４０】
ステップＳ２５の再生終了後、ステップＳ２６において、同じセグメントのＢトラックの再生がスタートする。セグメント再生中に、Ｂボタン６もしくはREWボタン１１等によりＢトラックの再再生（リピート再生）が要求されれば（ステップＳ２７：YES）、ステップＳ２６へと戻りそのセグメントが最初から再生される。再再生の要求がなければ（ステップＳ２７：NO）、ステップＳ２８へ進む。ステップＳ２８では、Ｂトラックの再生中に、ユーザがそのセグメントを次回再生時にスキップしたいと思ったときは（ステップＳ２８：YES）、ステップＳ２９へ進みスキップ設定を行う。そのセグメントを次回再生時にスキップしないときは（ステップＳ２８：NO）、ステップＳ３０へ進む。ステップＳ２９では、セグメントを再生中に、録音ボタン９（もしくは、モードボタン５でもよい）を押すことにより、そのセグメントが次回再生スキップされるセグメントとして設定される。設定後、ステップＳ３０へと進み、再生が終了する。
【００４１】
ステップＳ２６の再生終了後、ステップＳ３１において、同じセグメントのＣトラックの再生がスタートする。セグメント再生中に、Ｃボタン６もしくはREWボタン１１等によりＣトラックの再再生（リピート再生）が要求されれば（ステップＳ３２：YES）、ステップＳ３１へと戻りそのセグメントが最初から再生される。再再生の要求がなければ（ステップＳ３２：NO）、ステップＳ３３へ進む。ステップＳ３３では、Ｃトラックの再生中に、ユーザがそのセグメントを次回再生時にスキップしたいと思ったときは（ステップＳ３３：YES）、ステップＳ３４へ進みスキップ設定を行う。そのセグメントを次回再生時にスキップしないときは（ステップＳ３３：NO）、ステップＳ３５へ進む。ステップＳ３４では、セグメントを再生中に、録音ボタン９（もしくは、モードボタン５でもよい）を押すことにより、そのセグメントが次回再生スキップされるセグメントとして設定される。設定後、ステップＳ３５へと進み、再生が終了する。
【００４２】
ステップＳ２４、Ｓ２９、Ｓ３４のスキップ設定は、再生時に録音ボタン９等を押すことにより、その再生中のセグメントのアドレス（いずれかのトラックで選択を行ってもそのセグメントのＡ，Ｂ，Ｃトラック全てのアドレス）をEEPROM３３の所定の領域に記憶して、次回再生時（暗記モード）には、その記憶されたアドレスのセグメントに関しては、記憶媒体３４またはEEPROM３３のLmファイルからRAM３２へ音声情報の展開をしないようにすることで行われる。その結果、次回再生時にはそれらのセグメントが再生されない。また、EEPROM３３の所定の領域に記憶されるスキップ設定されたセグメントのアドレス情報は、コンテンツごとに管理されて記憶される。不揮発性メモリであるEEPROM３３は電源を切っても情報を保持しているため、次回電源をＯＮにしてそのコンテンツを再生するときにもスキップ設定は保たれている。また、ステップＳ２２からステップＳ２４までの処理は全てＡトラックの再生指定セグメントの再生中に行われる処理であり、ステップＳ２７からステップＳ２９までの処理は全てＢトラックの再生指定セグメントの再生中に行われる処理であり、ステップＳ３２からステップＳ３４までの処理は全てＣトラックの再生指定セグメントの再生中に行われる処理である。したがって、ユーザはそれぞれの再生指定セグメントの音声を聞きながら、もしくは、セグメント中の音声が終了した後の無音部分の再生中に、スキップ設定を行うことができため、暗記したセグメントを簡単な操作で瞬時に設定できる。
【００４３】
ステップＳ３６では、再生指定セグメントのＡ，Ｂ，Ｃ全てのトラックの再生が終了したところで、ユーザが停止ボタン（電源ボタン４）等を押さなければ（ステップＳ３６：YES）、ステップＳ３７へと進む。停止ボタン等を押した場合は（ステップＳ３６：NO）、トラック順再生の処理は終了し、ステップＳ９（図６）へと進む。ステップＳ３７では、再生の終了したセグメントが、そのコンテンツ（Lmファイル）の最後のセグメントである場合は（ステップＳ３７：YES）、トラック順再生の処理を終了し、ステップＳ９（図６）へと進む。最後のセグメントでない場合は（ステップＳ３７：NO）、セグメントを１つ増加してステップＳ２０へ戻る。なお、ユーザはステップＳ２０からステップＳ３５の間に、任意のタイミングで停止ボタン等を押して処理を終了することができる。その場合もステップＳ９（図６）へと進む。
【００４４】
図８は、図６のステップＳ７において、メイントラック再生を選択した場合の、ステップＳ８における処理を示す。ステップＳ７においてメイントラックを指定した後（Ａ、Ｂ、Ｃボタン６，７，８により指定）、ステップＳ５０へと進む。ステップＳ５０では、再生指定セグメントが既にスキップ設定されていれば（ステップＳ５０：YES）、ステップＳ６０へと進む。スキップ設定されていなければ（ステップＳ５０：NO）、ステップＳ５１へと進む。この構成により、再生装置が自動的にユーザが暗記したセグメントをスキップして再生することができる。ステップＳ５１では、指定されたトラックの再生指定セグメントの再生が開始する。図８では、メイントラックをＡトラックとした場合について示しているが、メイントラックをＢまたはＣトラックに設定したとしても、ボタンが入れ替わるのみで基本的な処理は変わらないためそれらの説明は省略する。Ａトラックの指定セグメントの再生中に、Ａボタン６もしくはREWボタン１１等により再再生（リピート再生）が要求されれば（ステップＳ５２：YES）、ステップＳ５１へと戻りそのセグメントが最初から再生される。再再生の要求がなければ（ステップＳ５２：NO）、ステップＳ５３へ進む。Ａトラックの再生中に、他のトラック（ＢトラックまたはＣトラック）が聞きたいと思ったときは（ステップＳ５３：YES）、ステップＳ５４に進む。ステップＳ５４においてユーザはＢボタン７を押すことにより（ステップＳ５４：Ｂ）、ステップＳ５５へと進み、同セグメントのＢトラックが再生される。また、ステップＳ５４においてユーザはＣボタン８を押すことにより（ステップＳ５４：Ｃ）、ステップＳ５６へと進み、同セグメントのＣトラックが再生される。ステップＳ５５またはステップＳ５６による再生が終了したら、ステップＳ５２へと戻る。
【００４５】
ステップＳ５３において他のトラックを聞かないときは（ステップＳ５３：NO）、ステップＳ５７へと進む。ステップＳ５７において、Ａトラックの再生中に、ユーザがそのセグメントを次回再生時にスキップしたいと思ったときは（ステップＳ５７：YES）、ステップＳ５８へ進みスキップ設定を行う。そのセグメントを次回再生時にスキップしないときは（ステップＳ５７：NO）、ステップＳ５９へ進む。ステップＳ５８では、セグメントを再生中に、録音ボタン９（もしくは、モードボタン５でもよい）を押すことにより、そのセグメントが次回再生スキップされるセグメントとして設定される。設定後、ステップＳ５９へと進み、再生指定セグメントのＡトラックの再生が終了する。再生終了後、ステップＳ６０へ進む。
【００４６】
ステップＳ５８のスキップ設定は、再生時に録音ボタン９等を押すことにより、その再生中のセグメントのアドレス（Ａトラックで選択を行っても、Ｂ，Ｃトラックのアドレスも一緒に）をEEPROM３３の所定の領域に記憶して、次回再生時（暗記モード）には、その記憶されたアドレスのセグメントに関しては、記憶媒体３４またはEEPROM３３のLmファイルからRAM３２へ音声情報の展開をしないようにすることで行われる。その結果、次回再生時にはそのスキップセグメントが再生されない。また、EEPROM３３の所定の領域に記憶されるスキップ設定されたセグメントのアドレス情報は、コンテンツごとに管理されて記憶される。不揮発性メモリであるEEPROM３３は電源を切っても情報を保持しているため、次回電源をＯＮにしてそのコンテンツを再生するときにもスキップ設定は保たれている。また、ユーザはそれぞれの再生指定セグメントの音声を聞きながら、もしくは、セグメント中の音声が終了した後の無音部分の再生中に、スキップ設定を行うことができる。したがって、ユーザは暗記したセグメントを簡単な操作で瞬時にスキップ設定することができる。
【００４７】
ステップＳ６０では、ユーザが停止ボタン（電源ボタン４）等を押さなければ（ステップＳ６０：YES）、ステップＳ６１へと進む。停止ボタン等を押した場合は（ステップＳ６０：NO）、メイントラック再生の処理は終了し、ステップＳ９（図６）へと進む。ステップＳ６１では、再生の終了したセグメントが、そのコンテンツ（Lmファイル）の最後のセグメントである場合は（ステップＳ６１：YES）、メイントラック再生の処理を終了し、ステップＳ９（図６）へと進む。最後のセグメントでない場合は（ステップＳ６１：NO）、セグメントを１つ増加してステップＳ５０へ戻る。なお、ユーザはステップＳ５０からステップＳ５９の間に、任意のタイミングで停止ボタン等を押して処理を終了することができる。その場合もステップＳ９（図６）へと進む。
【００４８】
また、図６のステップＳ８の間（すなわち、図７または図８の処理の間）、ユーザは任意のタイミングでメニューボタン１３を押すことにより、様々な設定を行うことができる。例えば、表示部２のLCDに表示させるセグメントについて、現在再生中のセグメントを表示させる通常表示や、スキップ設定しているセグメントのみを表示させるスキップセグメント表示等を選択することができる。また、スキップ設定したセグメントを元に戻したいときは、メニューボタン１３を押してから、スキップオールキャンセルを選択することができる。このスキップオールキャンセルでは、選択されているコンテンツ内のセグメントのスキップ設定を全て解除することができる。すなわち、スキップ設定するためにRAM３２に記憶されたアドレスが消去されることによりなされる。
【００４９】
したがって本発明は、ヘッダファイルを利用してセグメントをトラック毎に分類したファイル形式を記録した記録媒体を再生するための再生装置において、ユーザが簡単な操作で所望のセグメントをスキップ設定して、スキップ再生することができる再生装置および再生方法を提供することができる。
【図面の簡単な説明】
【００５０】
【図１】従来例および本発明の実施形態における再生装置の外観図である。
【図２】Lmファイルの模式図である。
【図３】本発明の実施形態における再生装置の機能ブロック図である。
【図４】本発明の他の実施形態における再生装置の機能ブロック図である。
【図５】本発明の実施形態に用いられるLmファイルのデータ構造を示す模式図である。
【図６】本発明の実施形態における再生処理を示すフローチャートである。
【図７】本発明の実施形態における再生処理を示すフローチャートである。
【図８】本発明の実施形態における再生処理を示すフローチャートである。
【符号の説明】
【００５１】
１  再生装置
２  LCD
５  モードボタン
６  Aボタン
７  Bボタン
８  Cボタン
２０  ゴムシート
２１，２２  LED
２３，２４  開口部
３０  CPU
３１  ROM
３２  RAM
３３  EEPROM
３４  記録媒体
【図１】
2006267187.tif 000003
【図２】
2006267187.tif 000004
【図３】
2006267187.tif 000005
【図４】
2006267187.tif 000006
【図５】
2006267187.tif 000007
【図６】
2006267187.tif 000008
【図７】
2006267187.tif 000009
【図８】
2006267187.tif 000010